(57)【要約】【課題】照明器具の長手方向両端部付近も明るく照明できる照明器具を提供する。【解決手段】取付面１１に取り付けられる器具本体２０には、回路基板５１にＬＥＤ５４が実装された発光部３０を有する。また、器具本体２０には、発光部３０を囲む長尺形状のカバー４０Ａが取り付けられる。そして、カバー４０Ａは、少なくとも取付面１１に対して平行な方向に光を透過する透光性を有するとともに、発光部３０は、回路基板５１の面方向に沿って光を照射する。このため、発光部３０から発せられた光は、回路基板５１の面方向に沿って照射され、カバー４０Ａの透光性を有する部分から光が照射されるので、長手方向両端部も明るく照明できる。【選択図】図３
2014222588.tif 000002
【特許請求の範囲】
【請求項１】
取付面に取付可能な器具本体と、
前記器具本体に支持され、回路基板にＬＥＤが実装された発光部と、
前記器具本体に支持され、前記発光部を囲むとともに、少なくとも前記取付面に対して平行な方向に光を透過する透光性を有する長尺形状のカバーと、を備え、
前記発光部は、前記回路基板の面方向に沿って光を照射する照明器具。
【請求項２】
請求項１に記載の照明器具において、
前記発光部は、前記回路基板の厚み方向に沿って前記回路基板から離れる方向に光を照射する第１ＬＥＤと、前記第１ＬＥＤとは異なる方向に向かって光を照射する第２ＬＥＤとを有する照明器具。
【請求項３】
請求項２に記載の照明器具において、
前記第２ＬＥＤは、前記回路基板の縁部に沿って配置されている照明器具。
【発明の詳細な説明】
【技術分野】
【０００１】
本発明は、天井面や壁面に取り付けて使用する照明器具に関するものである。
【背景技術】
【０００２】
従来、屋外の壁面に取り付けて使用する照明器具が知られている（例えば、特許文献１参照）。
図８に示すように、特許文献１に記載の照明器具１００は、壁面１０１に上下方向に長く取り付けられる器具本体１０２と、器具本体１０２の前面を覆う樹脂製のカバー１０３を有する。
器具本体１０２の中央部には電子部品取付部１０４が設けられており、安定器１０５およびグロー管１０６が取り付けられている。器具本体１０２の上下端部には、一対のソケット１０７、１０７が対向して設けられている。一対のソケット１０７、１０７には、直管型ランプ１０８が取り付けられる。
【０００３】
上側のソケット１０７の上方には、水切板１０９が取り付けられている。また、電子部品取付部１０４の外側には、器具本体１０２の外周縁に沿って、浸入してきた雨水を所定方向へ誘導するための溝部１１０が設けられている。
これにより、内部に浸入した雨水等が、器具本体１０２に取り付けられた安定器１０５およびグロー管１０６等の電子部品や、ソケット１０７にかからないようにしている。
【先行技術文献】
【特許文献】
【０００４】
【特許文献１】特開２０１２−９９２６０号公報（第１図）
【発明の概要】
【発明が解決しようとする課題】
【０００５】
しかしながら、前述したような特許文献１に記載の従来の照明器具１００においては、器具本体１０２の長手方向両端部に設けられているソケット１０７によって光が遮られるため、長手方向両端部が暗くなるという問題があった。
【０００６】
本発明は、従来の問題を解決するためになされたもので、照明器具の長手方向両端部付近も明るく照明できる照明器具を提供することを目的とする。
【課題を解決するための手段】
【０００７】
本発明の照明器具は、取付面に取付可能な器具本体と、前記器具本体に支持され、回路基板にＬＥＤが実装された発光部と、前記器具本体に支持され、前記発光部を囲むとともに、少なくとも前記取付面に対して平行な方向に光を透過する透光性を有する長尺形状のカバーと、を備え、前記発光部は、前記回路基板の面方向に沿って光を照射するものである。
【０００８】
また、本発明の照明器具は、前記発光部は、前記回路基板の厚み方向に沿って前記回路基板から離れる方向に光を照射する第１ＬＥＤと、前記第１ＬＥＤとは異なる方向に向かって光を照射する第２ＬＥＤとを有するものである。
【０００９】
さらに、本発明の照明器具は、前記第２ＬＥＤは、前記回路基板の縁部に沿って配置されているものである。
【発明の効果】
【００１０】
本発明では、発光部を囲む長尺形状のカバーは、少なくとも取付面に対して平行な方向に光を透過する透光性を有するとともに、発光部は、回路基板の面方向に沿って光を照射する。このため、発光部から発せられた光は、回路基板の面方向に沿って照射され、カバーの透光性を有する部分から光が照射されるので、長手方向両端部も明るく照明できるという効果を有する照明器具を提供できる。
【図面の簡単な説明】
【００１１】
【図１】本発明に係る第１実施形態の照明器具の分解斜視図
【図２】（Ａ）は光源台座の光源取付面を広く設けた場合の断面図であり、（Ｂ）は光源取付面を狭く設けた場合の断面図
【図３】（Ａ）はＬＥＤモジュールを下方から見た平面図であり、（Ｂ）はＬＥＤユニットの光照射状態を示す側面図
【図４】（Ａ）は第１ＬＥＤユニットの断面図であり、（Ｂ）は第２ＬＥＤユニットの断面図
【図５】本発明に係る第２実施形態の照明器具の断面図
【図６】（Ａ）は本発明に係る第２実施形態の照明器具におけるＬＥＤモジュールを下方から見た平面図であり、（Ｂ）はＬＥＤモジュールの側面図
【図７】本発明に係る第２実施形態の照明器具における光経路を示す側面図
【図８】従来の照明器具の断面図
【発明を実施するための形態】
【００１２】
（第１実施形態）
以下、第１実施形態の照明器具について、図面を用いて説明する。
図１に示すように、第１実施形態の照明器具１０Ａは、例えば取付面である天井面１１に取り付けて使用することができる。
照明器具１０Ａは、天井面１１に取付可能な器具本体２０と、器具本体２０の前方（ここでは下方）を覆う透光性を有する長尺形状のカバー４０Ａを有する。
【００１３】
器具本体２０は長方形の板状部材であり、外周縁部は前方に折曲げられて枠状のリブ２１が形成されている。器具本体２０は、例えば２本の取付ねじ２７で天井面１１に取り付けることができる。
器具本体２０の前面２２には、電源装置２３等の電子部品が取り付けられている。電源装置２３は、電線２４により、天井裏に配線されている商用電源（図示省略）に接続されており、電力の供給を受ける。器具本体２０の前面２２は、例えば白色に塗装されており、反射板としての作用を有する。
【００１４】
器具本体２０の長手方向に沿った一方のリブ２１には、長手方向両端付近の２カ所にカバー４０Ａを引っ掛けるフック２５が設けられている。また、器具本体２０の長手方向に沿った他方のリブ２１には、フック２５に対向する位置付近の２カ所に、カバー４０Ａを止めるキックバネ２６が設けられている。
キックバネ２６は、２本のアームを下方に向かってハ字形状に有しており、拡がる方向に付勢されている。
【００１５】
カバー４０Ａは、例えば、傾斜している一対の側面４０１、４０１と、一対の側面４０１、４０１の下端部同士を連結する水平面４０２を有する断面台形の細長い形状とすることができる。
カバー４０Ａは、器具本体２０に対応する長方形の開口４１を有している。開口４１には、断面Ｌ字形状の枠４２が設けられている。枠４２は、開口４１の内側に伸びる水平部４２１と、水平部４２１の先端（内側端）から上方に延びる垂直部４２２を有する。
枠４２は、垂直部４２２の内面が器具本体２０のリブ２１の外面よりも大きめになるように形成されている。また、カバー４０Ａの長手方向に沿った一方の枠４２の垂直部４２２の上端には、長手方向両端付近の２カ所に、器具本体２０のキックバネ２６を係止する係止部４３が設けられている。
【００１６】
従って、器具本体２０にカバー４０Ａを取り付ける際には、係止部４３が設けられていない側の枠４２の水平部４２１を器具本体２０のフック２５に引っ掛ける。そして、係止部４３にキックバネ２６の先端を引っ掛け、カバー４０Ａを押し上げることにより、カバー４０Ａを取り付けることができる。
また、カバー４０Ａを取り外す際には、カバー４０Ａの係止部４３側を引き下げ、カバー４０Ａと器具本体２０の隙間から手を入れてキックバネ２６を外す。これにより、カバー４０Ａを取り外すことができる。
【００１７】
器具本体２０の前面２２には、発光部３０が取り付けられる。発光部３０は、器具本体２０の前面２２に取り付けられている電源装置２３等を覆う全体略矩形箱状の光源台座３１を有する。光源台座３１は、器具本体２０の前面２２と平行でＬＥＤモジュール５０Ａが取り付けられる光源取付面３２と、光源取付面３２の周囲に設けられている立壁面３３を有する。立壁面３３の上端には、器具本体２０の前面に取り付けるための取付片３４を有する。
なお、光源取付面３２は、例えば白色に塗装されており、反射板としての作用を有する。
【００１８】
図２（Ａ）に示すように、光源台座３１の光源取付面３２は、ＬＥＤモジュール５０Ａに比して広いものが望ましい。
これにより、ＬＥＤモジュール５０Ａから発せられてカバー４０Ａの内面で反射する光ＬＢ１は、器具本体２０の前面２２よりもカバー４０Ａに近い光源台座３１の光源取付面３２で反射するので、カバー４０Ａの輝度の向上が可能になる。
なお、図２（Ｂ）に示すように、光源台座３１の光源取付面３２が、ＬＥＤモジュール５０Ａに比してあまり広くないものでも可能である。
【００１９】
また、図２（Ａ）に示すように、光源台座３１の立壁面３３は、カバー４０Ａの側面４０１と平行になるように傾斜しているのが望ましい。
さらに、光源台座３１の光源取付面３２とカバー４０Ａの水平面４０２との間の距離と、光源台座３１の立壁面３３とカバー４０Ａの側面４０１との間隔が、略等しいのが望ましい。
【００２０】
図１に示すように、光源取付面３２の中央部には、ＬＥＤモジュール５０Ａが取り付けられる。
図３（Ａ）および図３（Ｂ）に示すように、ＬＥＤモジュール５０Ａは、光源取付面３２に取り付けられる矩形板状の回路基板５１と、回路基板５１の実装面５１１に実装されるＬＥＤユニット５２を有する。
また、ＬＥＤモジュール５０Ａは、回路基板５１およびＬＥＤユニット５２の前方（下方）を覆うＬＥＤカバー５３を有する。ＬＥＤカバー５３は、透光性を有する乳白色の樹脂で形成されており、光を拡散して透過させる。
【００２１】
ＬＥＤユニット５２は、第１ＬＥＤユニット（第１ＬＥＤ）５２１と、第２ＬＥＤユニット（第２ＬＥＤ）５２２とを有する。
図４（Ａ）に示すように、第１ＬＥＤユニット５２１は、矩形板状の基台５５の下面５５１にＬＥＤチップ（ＬＥＤ）５４が取り付けられており、回路基板５１の厚み方向に沿って回路基板５１から離れる方向、すなわち、下方に光を照射する。
【００２２】
また、図４（Ｂ）に示すように、第２ＬＥＤユニット５２２は、基台５５の側面５５２にＬＥＤチップ５４が取り付けられており、回路基板５１の実装面５１１と平行方向に光を照射する。
第２ＬＥＤユニット５２２は、第１ＬＥＤユニット５２１を９０度回転させて縦方向に実装面５１１に取り付けて使用することができる。この場合、基台５５の直交する２面に接続部を設けることにより、同じＬＥＤユニット５２を兼用することができる。
【００２３】
図３（Ａ）および図３（Ｂ）に示すように、回路基板５１の長手方向中央部には、複数個の第１ＬＥＤユニット５２１が配置されている。
また、回路基板５１の縁部に沿って（ここでは、長手方向両端部）、複数個の第２ＬＥＤユニット５２２が配置されている。第２ＬＥＤユニット５２２は、回路基板５１の実装面５１１と平行な光を外側に向けて照射するように取り付けられている。
【００２４】
次に、発光部３０から照射される光の経路について説明する。
図１に示すように、商用電源から電源装置２３を介して発光部３０におけるＬＥＤモジュール５０Ａの回路基板５１に電力が供給されると、回路基板５１に実装されているＬＥＤチップ５４が発光し、ＬＥＤユニット５２から光が照射される。
図３（Ｂ）に示すように、回路基板５１の中央部に実装されている第１ＬＥＤユニット５２１が発光すると、光ＬＢ２は、下方に光を照射する。これにより、ＬＥＤカバー５３の下面５３１から下方に向かって光ＬＢ２が照射される。
【００２５】
また、回路基板５１の長手方向端部に実装されている第２ＬＥＤユニット５２２が発光すると、光ＬＢ３は、実装面５１１と平行に外向きに光を照射する。
これにより、ＬＥＤカバー５３の側面５３２から水平方向外側に向かって光ＬＢ３が照射される。
【００２６】
次に、照明器具１０Ａの作用効果について説明する。
図１に示すように、天井面１１に取り付けられる器具本体２０には、回路基板５１にＬＥＤチップ５４が実装された発光部３０を有する。また、器具本体２０には、発光部３０を囲む長尺形状のカバー４０Ａが取り付けられる。
そして、カバー４０Ａは、少なくとも天井面１１に対して平行な方向に光を透過する透光性を有するとともに、発光部３０は、回路基板５１の実装面５１１方向に沿って光を照射する。
このため、図３（Ｂ）に示すように、発光部３０から発せられた光は、回路基板５１の面方向に沿って照射され、カバー４０Ａの透光性を有する部分から光が照射されるので、長手方向両端部も明るく照明できる。
【００２７】
また、照明器具１０Ａでは、図３（Ａ）および図３（Ｂ）に示すように、発光部３０は、第１ＬＥＤユニット５２１と、第２ＬＥＤユニット５２２とを有する。第１ＬＥＤユニット５２１は、回路基板５１の厚み方向に沿って回路基板５１から離れる方向に光を照射する。第２ＬＥＤユニット５２２は、第１ＬＥＤユニット５２１とは異なる方向に向かって光を照射するとを有する。
このため、回路基板５１の前方（下方）のみならず、回路基板５１の周囲方向にも光を照射することができるので、照明器具１０Ａの長手方向両端部も明るく照明できる。
【００２８】
さらに、図３（Ａ）に示すように、照明器具１０Ａでは、第２ＬＥＤユニット５２２は、回路基板５１の縁部に沿って配置されている。
このため、回路基板５１の周囲方向にも光を照射することができるので、照明器具１０Ａの長手方向両端部も明るく照明できる。
【００２９】
（第２実施形態）
次に、第２実施形態の照明器具について説明する。
なお、前述した第１実施形態の照明器具１０Ａと共通する部位には同じ符号を付して、重複する説明を省略することとする。
図５に示すように、第２実施形態の照明器具１０Ｂでは、カバー４０Ｂの下部材４４が不透光性であり、側面４５のみが光を透過させる。
従って、例えば下部材４４を鋼板等の不透光性の部材で形成し、下部材４４を吊下げ部材４６によって器具本体２０から吊下げて、側面４５を開口する構造とすることができる。
【００３０】
このような第２実施形態の照明器具１０Ｂにおいては、下方への光の照射が必要でない。
このため、図６（Ａ）および図６（Ｂ）に示すように、ＬＥＤモジュール５０Ｂにおいては、回路基板５１の両端部に第２ＬＥＤユニット５２２のみを設ける。
【００３１】
以上、説明した第２実施形態の照明器具１０Ｂでは、図５に示すように、ＬＥＤユニット５２からの光ＬＢ４は外向きあるいは外向き下方へ照射される。外向き下方へ照射された光は、カバー４０Ｂの下部材４４で反射して（反射光ＬＢ５）、照明器具１０Ｂの周囲の天井面１１を照らす。あるいは、カバー４０Ｂの下部材４４で反射して（反射光ＬＢ６）、さらに器具本体２０の前面２２で反射して（反射光ＬＢ７）、照明器具１０Ｂの周囲の天井面１１を照らす。
これにより、間接照明として用いることができる。
【００３２】
本発明の照明器具は、前述した各実施形態に限定されるものでなく、適宜な変形、改良等が可能である。
【符号の説明】
【００３３】
１０Ａ、１０Ｂ  照明器具
１１  天井面（取付面）
２０  器具本体
３０  発光部
４０Ａ、４０Ｂ  カバー
５１  回路基板
５２１  第１ＬＥＤユニット（第１ＬＥＤ）
５２２  第２ＬＥＤユニット（第２ＬＥＤ）
５４  ＬＥＤチップ（ＬＥＤ）
【図１】
2014222588.tif 000003
【図２】
2014222588.tif 000004
【図３】
2014222588.tif 000005
【図４】
2014222588.tif 000006
【図５】
2014222588.tif 000007
【図６】
2014222588.tif 000008
【図７】
2014222588.tif 000009
【図８】
2014222588.tif 000010